(57)【要約】冷却水が所定温度に達するまで冷却水の循環を停止するようにした内燃機関の冷却装置において、冷却水の循環停止が解除されてラジエータに冷却水が流入する際に生じる熱歪みに起因したラジエータの耐久性低下を抑制する。内燃機関（１０）は、電動ポンプ（２３）と、冷却水温ＴＨＷを検出する水温センサ（９２）と、機関冷却系（１３）との間で冷却水が循環可能なラジエータ（２１）と、冷却水温ＴＨＷが開弁温度ＴＺ以上であるときに開弁してラジエータ（２１）に冷却水を流入させるサーモスタット（２２）とを有している。電子制御装置（９１）はサーモスタット（２２）が開弁してラジエータ（２１）に冷却水が流入するのに先立って電動ポンプ（２３）による冷却水の吐出圧を増大させる。
2011111159.tif 000002
【特許請求の範囲】
【請求項１】
機関冷却系に供給される冷却水の吐出能力を機関運転状態に依存することなく変更可能なポンプと、前記機関冷却系との間で冷却水が循環可能な熱交換器と、冷却水の温度を検出する検出部と、同検出される冷却水温度が所定温度未満のときには冷却水の循環が停止するように前記ポンプを制御する制御部とを備える機関冷却装置において、
冷却水の温度が前記所定温度以上に予め設定される所定の開弁温度以上であるときに開弁して前記熱交換器に対する冷却水の流入を許容する流路制御弁を更に備え、
前記制御部は冷却水温度が前記開弁温度未満であるときに前記ポンプの吐出圧を増大させる吐出量増大処理を行う
ことを特徴とする機関冷却装置。
【請求項２】
機関冷却系に供給される冷却水の吐出能力を機関運転状態に依存することなく変更可能なポンプと、前記機関冷却系との間で冷却水が循環可能な熱交換器と、冷却水の温度を検出する検出部と、同検出される冷却水温度が所定温度未満のときには冷却水の循環が停止するように前記ポンプを制御する制御部とを備える機関冷却装置において、
前記制御部は冷却水温度が前記所定温度以上となり前記熱交換器に冷却水が流入するのに先立って前記ポンプの吐出圧を増大させる吐出圧増大処理を実行する
ことを特徴とする機関冷却装置。
【請求項３】
冷却水の温度が所定の開弁温度以上であるときに開弁して前記熱交換器に対する冷却水の流入を許容する流路制御弁を更に備え、
前記制御部は前記検出される冷却水温度が前記開弁温度未満であるときに前記吐出圧増大処理を実行する
請求項２に記載の機関冷却装置。
【請求項４】
前記制御部は、前記検出される冷却水温度が上昇して前記所定温度に達した後、同冷却水温度が前記所定温度よりも高い第２の所定温度に達するまでは、前記ポンプの駆動態様を冷却水が間欠的に吐出される間欠運転としてその吐出量が制限された低流量モードにて同ポンプを駆動する一方、前記検出される冷却水温度が前記第２の所定温度以上となったときに前記ポンプの駆動態様を冷却水が連続的に吐出される連続運転に変更するとともに前記低流量モードよりも前記ポンプの吐出圧を高めた高流量モードにて同ポンプを駆動する
請求項１又は請求項３に記載の機関冷却装置。
【請求項５】
前記開弁温度は前記所定温度と前記第２の所定温度との間に設定されるものであり、
前記制御部は、前記低流量モードにて前記ポンプを駆動しているときに前記吐出圧増大処理を実行するものであり、同吐出圧増大処理の開始前後で前記ポンプの所定期間における冷却水の平均吐出量が等しくなるように前記吐出圧増大処理の開始後は前記間欠運転モードにおける冷却水の吐出停止期間を長く設定する
請求項４に記載の機関冷却装置。
【請求項６】
前記熱交換器の周囲温度を推定する推定部を更に備え、
前記制御部は前記推定される周囲温度が低いときほど前記吐出圧増大処理における吐出圧の増大量を大きく設定する
請求項１〜５のいずれか一項に記載の機関冷却装置。
【請求項７】
前記開弁温度は前記第２の所定温度よりも高い温度に設定されるものであり、
前記制御部は、前記ポンプの駆動状態を前記低流量モードから前記高流量モードに変更することで前記吐出圧増大処理を実行するものであり、
前記流路制御弁は冷却水の温度に応じて自律開閉する感温弁である
請求項４に記載の機関冷却装置。
【請求項８】
前記熱交換器の周囲温度を推定する推定部を更に備え、
前記制御部は前記推定される周囲温度が所定の閾値温度未満であることを前記吐出圧増大処理の実行条件として含む
請求項１〜７のいずれか一項に記載の機関冷却装置。
【請求項９】
請求項１〜８のいずれか一項に記載の機関冷却装置において、
車載内燃機関をその適用対象とし、
前記熱交換器は車両前方に搭載されるラジエータである
ことを特徴とする機関冷却装置。
【発明の詳細な説明】
【技術分野】
【０００１】
本発明は、暖機を促進すべく冷却水の温度が所定温度に達するまでその循環を停止するようにした機関冷却装置に関する。
【背景技術】
【０００２】
内燃機関の冷却装置としては、シリンダブロック及びシリンダヘッドに形成されたウォータジャケットに冷却水を流通させてそれらシリンダブロックやシリンダヘッドを冷却する水冷式の冷却装置が一般に知られている。通常こうした水冷式の冷却装置は、ポンプ、ウォータジャケット、ラジエータ、ウォータジャケットとラジエータとを連通する冷却水通路、及びラジエータに流入する冷却水の流量を調量するサーモスタットによって構成されている。【０００３】
ところで、近年、冷却水を循環させるポンプとして、機関運転状態に依存することなく吐出能力を変更することのできるポンプ、例えば電動ポンプが実用化されるに至っている。例えば、特許文献１に記載の冷却装置では、こうした電動ポンプを採用し、機関始動時等において冷却水の温度が所定温度に達するまではその運転を停止し冷却水の循環を停止することにより暖機の促進を図るようにしている。【０００４】
そして、こうした冷却装置において、冷却水の温度が所定温度を上回り、暖機がある程度進行した状態に移行すると、電動ポンプの運転が開始されて冷却水の循環が行われるようになる。そしてこのように冷却水の循環が開始された後、冷却水の温度が更に上昇するとサーモスタットが開弁してラジエータに冷却水が流入するようになる。その結果、冷却水の熱がラジエータによって外部に放出されるようになり、その放熱量と機関燃焼を通じて冷却水に吸熱される吸熱量とが平衡状態となることで冷却水が略一定の温度に維持され、内燃機関の温度もその運転を行う上で適正な温度に保たれるようになる。
【先行技術文献】
【特許文献】
【０００５】
【特許文献１】特開２００６−２１４２８０号公報
【発明の概要】
【発明が解決しようとする課題】
【０００６】
ところで、サーモスタットが開弁し始めた初期の段階はその開度がまだ小さいため、ウォータジャケットからラジエータに流入する冷却水の流量も少ないものとなる。特に、冷却水の循環停止が解除された後、機関冷却系の各部位における熱衝撃（ヒートショック）の発生を抑制するため、所定期間が経過するまでは冷却水の循環量を所定量以下に制限するような場合には、ラジエータに流入する冷却水の流量も更に限られたものとなる。【０００７】
ここで、ラジエータはその内部が複数の独立した流水路の集合体として構成されているため、同ラジエータに流入する冷却水の流量が少ない場合には以下のような不都合が生じることとなる。【０００８】
すなわち、図７に示されるように、ラジエータ４１に流入した冷却水は、ラジエータ４１内の各流水路４２，４３において最も流れやすい部分に集中して流れるようになる。すなわち、ラジエータ４１の内部では、冷却水の流れが各流水路において均等にならず特定の流水路４２に偏って偏流が発生するようになる。ここで、極冷間時等、ラジエータの温度、換言すればその内部の各流水路４２，４３に滞留している冷却水の温度が極めて低い場合に、上述したような偏流が生じると、機関燃焼により温度上昇した高温の冷却水が流れる箇所と冷却水が滞留したままの箇所との間には大きな温度差が発生し、これに起因してラジエータ４１には熱歪みが生じるようになる。そして、こうした熱歪みが一時的に過大なものとなって大きな熱応力が作用したり、機関始動毎に頻繁に繰り返し発生して熱疲労が進行したりすると、ラジエータ４１の耐久性を著しく低下させてしまうこととなる。【０００９】
なお、こうした問題は、上述したようなラジエータを備える内燃機関の冷却装置に限らず、複数の独立した流路の集合体として構成される熱交換器を有し、冷却水の温度が所定温度以上になるまでは機関の冷却が不要であるため冷却水の循環を停止するようにした機関一般の冷却装置においても概ね共通したものとなっている。【００１０】
この発明は、こうした従来の実情に鑑みてなされたものであり、その目的は、冷却水の温度が所定温度に達するまでその循環を停止するようにした機関冷却装置において、冷却水の循環停止が解除されて機関の熱により温度上昇した冷却水が熱交換器に流入する際に熱歪みが生じ、これに起因してラジエータの耐久性が低下することを抑制することにある。
【課題を解決するための手段】
【００１１】
上記目的を達成するため、本発明は、機関冷却系に供給される冷却水の吐出能力を機関運転状態に依存することなく変更可能なポンプと、前記機関冷却系との間で冷却水が循環可能な熱交換器と、冷却水の温度を検出する検出部と、同検出される冷却水温度が所定温度未満のときには冷却水の循環が停止するように前記ポンプを制御する制御部とを備える機関冷却装置において、冷却水の温度が前記所定温度以上に予め設定される所定の開弁温度以上であるときに開弁して前記熱交換器に対する冷却水の流入を許容する流路制御弁を更に備え、前記制御部は冷却水温度が前記開弁温度未満であるときに前記ポンプの吐出圧を増大させる吐出量増大処理を行うようにしている。【００１２】
同構成によれば、吐出圧増大処理を通じてポンプの吐出圧が増大した後に流路制御弁が開弁して熱交換器に冷却水が流入するようになるため、熱交換器に冷却水が流入する際の流速を高めることができ、熱交換器の内部における冷却水の偏流の発生を緩和することができる。このため、熱交換器が極低温環境下におかれる場合であれ、偏流の発生に起因して熱交換器の耐久性が低下することを回避することができるようになる。【００１３】
本発明は、機関冷却系に供給される冷却水の吐出能力を機関運転状態に依存することなく変更可能なポンプと、前記機関冷却系との間で冷却水が循環可能な熱交換器と、冷却水の温度を検出する検出部と、同検出される冷却水温度が所定温度未満のときには冷却水の循環が停止するように前記ポンプを制御する制御部とを備える機関冷却装置において、前記制御部は冷却水温度が前記所定温度以上となり前記熱交換器に冷却水が流入するのに先立って前記ポンプの吐出圧を増大させる吐出圧増大処理を実行するといった態様にてこれを具体化することができる。【００１４】
同構成によれば、吐出圧増大処理を通じて冷却水の吐出圧を増大させることにより、熱交換器に冷却水が流入する際の流速を高めることができ、熱交換器の内部における冷却水の偏流の発生を緩和することができる。その結果、熱交換器が極低温環境下におかれる場合であれ、偏流の発生に起因して熱交換器に熱歪みが発生することを抑制でき、そうした熱歪みに起因して熱交換器の耐久性が低下することを回避することができるようになる。【００１５】
本発明は、冷却水の温度が所定の開弁温度以上であるときに開弁して前記熱交換器に対する冷却水の流入を許容する流路制御弁を更に備え、前記制御部は前記検出される冷却水温度が前記開弁温度以下であるときに前記吐出圧増大処理を実行するといった態様にてこれを具体化することができる。【００１６】
なお、吐出圧増大処理は熱交換器に冷却水が流入するのに先立って実行されるが、具体的にこの処理は検出部により検出される冷却水温度が流路制御弁の開弁温度に達して同流路制御弁が開弁し始める状態になったことを条件に開始してもよいし、同冷却水温度が上昇途中にあって流路制御弁の開弁温度にはまだ達していない段階から開始するようにしてもよい。【００１７】
本発明は、前記制御部は、前記検出される冷却水温度が上昇して前記所定温度に達した後、同冷却水温度が前記所定温度よりも高い第２の所定温度に達するまでは、前記ポンプの駆動態様を冷却水が間欠的に吐出される間欠運転としてその吐出量が制限された低流量モードにて同ポンプを駆動する一方、前記検出される冷却水温度が前記第２の所定温度以上となったときに前記ポンプの駆動態様を冷却水が連続的に吐出される連続運転に変更するとともに前記低流量モードよりも前記ポンプの吐出圧を高めた高流量モードにて同ポンプを駆動するといった態様にてこれを具体化することができる。【００１８】
同構成によれば、冷却水の循環を停止している状態から冷却水の温度が上昇して所定温度に達すると、ポンプの運転が開始される。この場合、まずポンプは、その駆動態様が間欠運転とされるとともに吐出量が低流量に制限された低流量モードにて駆動される。このようにポンプの吐出量が低流量に制限された状態で冷却水の循環が行われるため、機関高温部近傍にて高温となった冷却水が機関冷却系の他の部分に多量に流入することに伴う熱衝撃を緩和することができるとともに、機関高温部近傍等における局所的な冷却水の沸騰を抑制することができる。しかもこの低流量モードにおいては、ポンプが間欠運転されるため、所定期間におけるポンプの平均吐出量を極低流量に設定することができ、局所的な冷却水の沸騰を抑制しつつ高温となった冷却水が低温部位に流入する際の熱衝撃を緩和する上で好適な量の冷却水を流通させることができる。そして、冷却水の温度が更に上昇すると、ポンプの駆動態様が連続運転に変更され、先の低流量モードよりもポンプの吐出圧を高めた高流量モードにて同ポンプが駆動されるようになる。その結果、冷却水の循環量を十分に確保することができ、完全暖機後も含めそのときどきの機関温度状態に即したかたちで機関冷却系を冷却することができるようになる。【００１９】
本発明は、前記開弁温度は前記所定温度と前記第２の所定温度との間に設定されるものであり、前記制御部は、前記低流量モードにて前記ポンプを駆動しているときに前記吐出圧増大処理を実行するものであり、同吐出圧増大処理の開始前後で前記ポンプの所定期間における冷却水の平均吐出量が等しくなるように前記吐出圧増大処理の開始後は前記間欠運転モードにおける冷却水の吐出停止期間を長く設定するといった態様にてこれを具体化することができる。【００２０】
同構成によれば、吐出圧増大処理が開始されてもポンプの所定期間における平均吐出量は変化しないため、同処理の前後において冷却水による冷却性能を一定に保持することができる。このため、局所的な冷却水の沸騰や熱衝撃の発生を抑制する上で、冷却水の流通量を制御してその冷却性能を一定とすることが要求される場合であっても、これに対応しつつ吐出圧増大処理を実行することができ、熱交換器内における冷却水の偏流の発生を緩和することができるようになる。【００２１】
本発明は、前記熱交換器の周囲温度を推定する推定部を更に備え、前記制御部は前記推定される周囲温度が低いときほど前記吐出圧増大処理における吐出圧の増大量を大きく設定するといった態様にてこれを具体化することができる。【００２２】
熱交換器の周囲温度が低いときほど、偏流に起因する熱交換器の熱歪量が増大し、また冷却水の粘度も高くなるため偏流そのものも一層発生し易くなる。上記構成によれば、熱交換器の周囲温度が低く、熱歪みの発生が顕著になるときほど、冷却水の吐出圧、すなわちここでは間欠運転において冷却水を吐出するときの吐出圧をより大きく増大させるようにしているため、偏流を熱交換器の温度状況に即したかたちで好適に緩和することができる。但し、吐出圧の増大量を大きくした場合には、それに併せて冷却水の吐出停止期間が更に長く設定され、機関高温部近傍等において冷却水の滞留する時間が長くなるため、局所的な冷却水の沸騰が発生する可能性が高くなる。しかしながら、上記構成によるように、熱交換器の周囲温度に基づいて吐出圧の増大量を変更するようにすれば、熱交換器の周囲温度が高いとき、すなわち偏流に起因する熱歪みの及ぼす影響が相対的に小さいときには、吐出圧の増大量は小さくなるため、冷却水の吐出停止期間が不必要に長い期間に設定されることがない。すなわち、上記構成によれば、局所的な冷却水の沸騰が発生することを避けつつ、偏流に起因する熱歪みによって熱交換器の耐久性が低下してしまうことを抑制することができるようになる。【００２３】
本発明は、前記開弁温度は前記第２の所定温度よりも高い温度に設定されるものであり、前記制御部は、前記ポンプの駆動状態を前記低流量モードから前記高流量モードに変更することで前記吐出圧増大処理を実行するものであり、前記流路制御弁は冷却水の温度に応じて自律開閉する感温弁であるといった態様にてこれを具体化することができる。【００２４】
同構成によれば、ポンプが高流量モードとなってその吐出圧が増大した後に流路制御弁が開弁して熱交換器に冷却水が流入するようになるため、同熱交換器に冷却水が流入する際の流速を高めることができ、熱交換器の内部における冷却水の偏流の発生を緩和することができる。また、流路制御弁に流入してその感温部に接触する時間当たりの冷却水の量も多くなるため、その感温性が上昇するようになり、同流路制御弁を高い応答性をもって開弁させることができる。その結果、流路制御弁が開弁温度となってから全開状態となるまでの期間、すなわちその開度が絞られている期間を極力短くすることができ、この点においても偏流の発生を更に好適に緩和することができるようになる。【００２５】
本発明は、前記熱交換器の周囲温度を推定する推定部を更に備え、前記制御部は前記推定される周囲温度が所定の閾値温度未満であることを前記吐出圧増大処理の実行条件として含むといった態様にてこれを具体化することができる。【００２６】
同構成によれば、熱交換器の周囲温度が所定温度以上であるとき、すなわち熱交換器の内部に偏流が発生したとしてもそれに伴う熱歪みの影響が無視できる程度であるときには吐出圧増大処理が実行されないため、こうした吐出圧増大処理の実行に伴ってポンプの吐出圧等、ポンプによる冷却水の供給態様が制約されることを回避でき、同冷却水の供給態様にかかる自由度を高めることができる。【００２７】
本発明は、車載内燃機関をその適用対象とし、前記熱交換器は車両前方に搭載されるラジエータであるといった態様にてこれを具体化することができる。
車載内燃機関において、これを冷却する冷却水の温度が所定温度に達するまでその循環を停止することにより、暖機を促進して機関燃焼を早期に安定させるとともに熱効率を向上させて燃費の低減を図ることができる。但し、車載内燃機関のラジエータは車両前方に搭載されるため、冷却水の循環が停止されている間は車両走行風によって冷却されるようになる。特に外気温の低い冷間時にはこうしたラジエータの温度低下が極端に大きくなるため、その内部で冷却水の偏流が発生した場合に生じる熱歪みは大きくなり、これがラジエータの耐久性低下に及ぼす影響も極めて深刻なものとなる。この点、上記構成によれば、ラジエータが極低温環境下におかれる場合であれ、偏流の発生を緩和してラジエータに熱歪みが発生することを抑制することができ、そうした熱歪みに起因してラジエータの耐久性が低下することを回避することができるようになる。
【図面の簡単な説明】
【００２８】
【図１】本発明にかかる第１実施形態の内燃機関及びその冷却装置を示す概略構成図。
【図２】同実施形態にかかる電動ポンプ駆動処理についてその処理手順を示すフローチャート。
【図３】同実施形態にかかる電動ポンプの駆動態様の一例を示すタイミングチャート。
【図４】（ａ）冷却水温度の推移、これに併せて第２実施形態にかかる（ｂ）電動ポンプの駆動態様、（ｃ）他の実施形態にかかる電動ポンプの駆動態様の一例を示すタイミングチャート。
【図５】他の実施形態にかかる（ａ）吸気温度と電動ポンプの吐出圧との関係を示すグラフ、（ｂ）吸気温度と電動ポンプの駆動態様との関係を示すグラフ。
【図６】他の実施形態にかかる電動ポンプの駆動態様の一例を示すタイミングチャート。
【図７】従来のラジエータにおける冷却水の流通態様を示す模式図。
【発明を実施するための形態】
【００２９】
（第１実施形態）
以下、図１及び図２を併せ参照して本発明にかかる第１実施形態について説明する。
図１に示されるように、車両に搭載される内燃機関１０の冷却装置は、大きくは、シリンダブロック１１及びシリンダヘッド１２の内部において機関燃焼室１０ａの周囲に形成されたウォータジャケット１３と、このウォータジャケット１３に冷却水を吐出する電動ポンプ２３と、このウォータジャケット１３内の冷却水を電動ポンプ２３に戻して循環させるためのメイン通路２４及びサブ通路２７とによって構成されている。メイン通路２４はウォータジャケット１３と電動ポンプ２３とをラジエータ２１及びサーモスタット２２を介して接続している。このラジエータ２１は複数の独立した流路の集合体として構成され、それら流路を流れる冷却水と外気との間で熱交換を行うことにより冷却水の熱を外部に放出するものである。なお、ラジエータ２１は車両前方に搭載されている。また、サーモスタット２２はその感温部に接触する冷却水の温度が所定の温度（以下、開弁温度ＴＺ）以上となったときに自律的に開弁する流路切替弁すなわち感温弁として機能する。このサーモスタット２２が開弁することにより、メイン通路２４とラジエータ２１とが連通状態となり、同メイン通路２４からラジエータ２１に冷却水が流入するようになる。
【００３０】
一方、サブ通路２７はウォータジャケット１３と電動ポンプ２３とを熱機器系１４及びサーモスタット２２を介して接続している。この熱機器系１４は、ヒータコア、スロットルボディの加熱通路、ＥＧＲクーラといった冷却水の熱を利用する種々の機器を含み、ウォータジャケット１３とともに機関冷却系を構成している。このサブ通路２７はサーモスタット２２の開閉状態にかかわらず常に電動ポンプ２３と連通状態にある。
【００３１】
したがって、サーモスタット２２が閉弁状態にあるときには、電動ポンプ２３からウォータジャケット１３に吐出された冷却水は熱機器系１４を含めたサブ通路２７を流れて電動ポンプ２３に戻され、再びウォータジャケット１３に吐出される。一方、メイン通路２４を通じてラジエータ２１に冷却水が流入することはない。
【００３２】
これに対して、サーモスタット２２が開弁状態にあるときには、電動ポンプ２３からウォータジャケット１３に吐出された冷却水は、先と同様に、サブ通路２７から電動ポンプ２３に戻された後、再びウォータジャケット１３に吐出される。これに加え、冷却水は、ウォータジャケット１３からラジエータ２１を含めたメイン通路２４を流れて電動ポンプ２３に戻され、再びウォータジャケット１３に吐出される。
【００３３】
電動ポンプ２３は、モータの出力軸（図示略）に連結された羽根車が回転することにより冷却水を吸引及び吐出する。この電動ポンプ２３はモータの回転速度が高くなるほど、その吐出圧（以下、吐出圧ＦＶ）が増大する。電動ポンプ２３（正確にはそのモータ）は制御装置９１に接続されており、この制御装置９１を通じてその駆動態様が制御される。例えば、制御装置９１は、そのドライバ回路から電動ポンプ２３に出力する回転パルス信号を変更することによりモータの回転速度、すなわちその吐出圧ＦＶを変更する。また、制御装置９１は、電動ポンプ２３の駆動態様として、冷却水を連続的に吐出する連続運転と、冷却水を間欠的に吐出する間欠運転とを選択する。連続運転を選択した場合、電動ポンプ２３の吐出圧ＦＶを変更することにより冷却水の循環量が調節される。一方、間欠運転を選択した場合、吐出圧ＦＶの変更に加えて、冷却水を吐出する期間である駆動期間ＴＰＡと冷却水の吐出を停止する期間である停止期間ＴＰＢとの比を変更することで冷却水の循環量が調節される。
【００３４】
また、制御装置９１には、ウォータジャケット１３の出口近傍に取り付けられて冷却水の温度（以下、冷却水温ＴＨＷ）を検出する水温センサ９２や、内燃機関１０の吸気通路（図示略）に取り付けられて吸入空気の温度（以下、吸気温度ＧＴＡ）を検出する吸気温センサ９３など、各種のセンサが接続されている。制御装置９１は、これらセンサの検出値に基づいて電動ポンプ２３の駆動態様を制御する。なお、吸気温度ＧＴＡはラジエータ２１の周囲温度と相関を有して変化するため、周囲温度の代替値としてこれを推定するために用いられる。
【００３５】
次に、こうした制御装置９１による電動ポンプ２３の駆動態様について説明する。制御装置９１は、冷間始動時など内燃機関１０の温度が低いときには、電動ポンプ２３を駆動せず冷却水の循環を停止することにより、内燃機関１０の暖機を促進するとともに、機関燃焼室１０ａの壁面温度を高温に維持して熱損失の低減、ひいては燃費の向上を図るようにしている。そして、制御装置９１は、内燃機関１０の暖機がある程度進行した後は、機関燃焼室１０ａの周囲等における局所的な冷却水の沸騰が発生しないように、電動ポンプ２３を駆動して冷却水の循環を開始する。
【００３６】
但しここで、電動ポンプ２３の吐出圧ＦＶを低くして冷却水の循環量をある程度の量に制限しておかないと、ウォータジャケット１３において機関燃焼室１０ａの近傍に滞留していた高温の冷却水がサブ通路２７を通じて低温の熱機器系１４に流入するようになるため、熱機器系１４に含まれる低温の各種機器に熱衝撃を与えるおそれがある。しかもその一方で、機関燃焼室１０ａの壁面温度が急激に低下するため、熱損失が増大して燃費の悪化を招くこととなる。このため、制御装置９１は、冷却水の循環停止を解除する際にはまず間欠運転を選択するとともに低い吐出圧ＦＶ（以下、低吐出圧ＦＶ１）にて電動ポンプ２３を駆動することにより、冷却水の循環量が低流量となるようにこれを制限している（低流量モード）。
【００３７】
ここで、電動ポンプ２３が低流量モードにあるときにサーモスタット２２が開弁して低吐出圧ＦＶ１にて循環された冷却水がラジエータ２１に流入すると、その冷却水の流れがラジエータ２１の各流水路において均等にならず特定の流水路に偏って偏流が発生するようになる。そして、こうした偏流が極冷間時等においてラジエータ２１に発生すると、過大な熱応力が作用したり熱疲労が進行したりするため、ラジエータ２１の耐久性を著しく低下させてしまう点については上述した通りである。
【００３８】
そこで、本実施形態においては、ラジエータ２１の周囲温度が低温であってその内部で偏流が生じたときに無視できない大きさの熱歪みが同ラジエータ２１に発生するおそれがある場合には、制御装置９１を通じて電動ポンプ２３の吐出圧ＦＶを高くする吐出圧増大処理を行うようにしている。
【００３９】
以下、この吐出圧増大処理を含めた電動ポンプ２３の駆動処理全般について、図２のフローチャートを参照して説明する。なお、同図２に示される一連の処理は、制御装置９１によって機関始動時から所定の演算周期毎に繰り返し実行される。
【００４０】
まず、制御装置９１は、内燃機関１０が低温状態にあるか否かを判断する（ステップＳ１１０）。具体的には、冷却水温ＴＨＷが第１の所定温度ＴＸ１未満か否かを判断する。この第１の所定温度ＴＸ１は、機関燃焼室１０ａの近傍等における局所的な冷却水の沸騰が生じるおそれがあるか否かを冷却水温ＴＨＷとの比較のもと判断するための値として試験等を通じて予め設定されている。
【００４１】
冷却水温ＴＨＷが第１の所定温度ＴＸ１未満であると判断した場合、すなわち内燃機関１０が低温状態にあると判断した場合（ステップＳ１１０：ＹＥＳ）、制御装置９１は電動ポンプ２３の駆動を停止する（ステップＳ１２０）。その結果、冷却水の循環が停止されて内燃機関１０の暖機が促進されるようになる。
【００４２】
一方、冷却水温ＴＨＷが第１の所定温度ＴＸ１以上であると判断した場合、すなわち内燃機関が低温状態にないと判断した場合（ステップＳ１１０：ＮＯ）、制御装置９１は冷却水の循環を開始する。
【００４３】
まず、制御装置９１は、冷却水温ＴＨＷがサーモスタット２２の開弁温度ＴＺ以上であるか否かを判断する（ステップＳ１３０）。冷却水温ＴＨＷが開弁温度ＴＺ未満である場合（ステップＳ１３０：ＮＯ）、サーモスタット２２は閉弁状態であり、メイン通路２４を通じてラジエータ２１に冷却水が流入することはないため、ラジエータ２１内に冷却水の偏流が発生するおそれはない。このため、制御装置９１は低流量モードを選択し、電動ポンプ２３の吐出圧ＦＶを上述した低吐出圧ＦＶ１に設定するとともに、局所的な冷却水の沸騰の発生を抑制しつつ、上述したような熱衝撃の発生及び熱損失の増大を回避する上で好適な量の冷却水が循環されるように、電動ポンプ２３の駆動期間ＴＰＡ及び停止期間ＴＰＢをそれぞれ設定する（ステップＳ１７０）。
【００４４】
一方、冷却水温ＴＨＷが開弁温度ＴＺ以上であると判断した場合（ステップＳ１３０：ＹＥＳ）、内燃機関１０は暖機が完了した状態にあるか否かを判断する（ステップＳ１４０）。具体的には、冷却水温ＴＨＷが第２の所定温度ＴＸ２未満か否かを判断する。この第２の所定温度ＴＸ２は、内燃機関１０の暖機が完了したか否かを冷却水温ＴＨＷとの比較のもと判断するための値であり試験等を通じて予め設定されている。
【００４５】
冷却水温ＴＨＷが第２の所定温度ＴＸ２以上であると判断した場合、すなわち内燃機関１０の暖機が完了していると判断した場合（ステップＳ１４０：ＹＥＳ）、制御装置９１は電動ポンプ２３を通常運転する（ステップＳ１５０）。すなわち、制御装置９１は、例えば冷却水温ＴＨＷ、機関負荷、機関回転速度といった機関運転状態を示すパラメータに基づいて電動ポンプ２３を制御する。
【００４６】
一方、冷却水温ＴＨＷが第２の所定温度ＴＸ２未満であると判断した場合、すなわち内燃機関１０の暖機が完了していないと判断した場合（ステップＳ１４０：ＮＯ）、制御装置９１はラジエータ２１の周囲温度が低温であるか否かを判断する（ステップＳ１６０）。具体的には、吸気温度ＧＴＡが所定の閾値温度α未満であるか否かを判断する。この閾値温度αは、ラジエータ２１の温度が低温であり、その内部に偏流が発生したとしたときにそれに伴う熱歪みの及ぼす悪影響が無視できない温度か否かを吸気温度ＧＴＡとの比較のもと判断するための値であり、試験等を通じて予め設定されている。
【００４７】
制御装置９１は、吸気温度ＧＴＡが閾値温度α未満であると判断した場合、すなわちラジエータ２１の周囲温度が低温であると判断した場合（ステップＳ１６０：ＹＥＳ）、制御装置９１は、吐出圧ＦＶを上述した低吐出圧ＦＶ１よりも高圧に設定された高吐出圧ＦＶ２に設定する（ステップＳ１８０）。高吐出圧ＦＶ２は、ラジエータ２１の内部における偏流の発生を十分に緩和できる圧力となるように試験等を通じて予め設定されている。更にここで、制御装置９１は、吐出圧増大制御の実行前後における所定期間での平均吐出流量が等しくなるように、電動ポンプ２３の駆動期間ＴＰＡを短い時間に変更する一方、停止期間ＴＰＢを長い時間に変更する。
【００４８】
一方、吸気温度ＧＴＡが閾値温度α以上であると判断した場合（ステップＳ１６０：ＮＯ）、制御装置９１は低流量モードを選択する（ステップＳ１７０）。このようにステップＳ１５０，Ｓ１７０，Ｓ１８０において電動ポンプ２３の駆動態様を設定した後、制御装置９１はこの処理を一旦終了する。
【００４９】
図３に、上述したポンプ駆動処理が行われた場合について、（ａ）サーモスタット２２の状態、（ｂ）冷却水温ＴＨＷ、（ｃ）電動ポンプ２３の吐出圧ＦＶについてそれぞれの推移を示す。なお、（ｃ）には、吸気温度ＧＴＡが閾値温度α以上である場合の電動ポンプ２３の駆動態様を破線で示している。
【００５０】
例えば機関始動時から短時間しか経過していないときのように、冷却水温ＴＨＷが第１の所定温度ＴＸ１以下である期間（タイミングｔ０〜ｔ１）では、電動ポンプ２３は駆動されず冷却水の循環は停止されたままの状態に維持される。次に、冷却水温ＴＨＷが上昇して第１の所定温度ＴＸ１に達すると、電動ポンプ２３の駆動が開始される（タイミングｔ１）。このとき、制御装置９１は、電動ポンプ２３の吐出圧ＦＶを低吐出圧ＦＶ１に設定する。そして、駆動期間ＴＰＡ、停止期間ＴＰＢをそれぞれ所定値ＴＰ１，ＴＰ２に設定する。なお、サーモスタット２２は冷却水温ＴＨＷが開弁温度ＴＺとなるまでの間は閉弁状態にある。そして、冷却水温ＴＨＷが更に上昇してサーモスタット２２の開弁温度ＴＺに達したときに吸気温度ＧＴＡが閾値温度α未満である場合には、制御装置９１は電動ポンプ２３の吐出圧ＦＶを高吐出圧ＦＶ２に設定する。更に、このように吐出圧ＦＶを増大させる前後において上述した平均吐出量にかかる関係が満たされるように、駆動期間ＴＰＡ、停止期間ＴＰＢをそれぞれ所定値ＴＰ３，ＴＰ４に設定する（タイミングｔ２）。また、冷却水温ＴＨＷが開弁温度ＴＺに達した以降、サーモスタット２２の開度は冷却水温ＴＨＷの上昇に伴って徐々に増大する。このように冷却水温ＴＨＷが上昇して第２の所定温度ＴＸ２に達すると、電動ポンプ２３は連続運転に変更されるとともに上述したように機関運転状態に基づいて制御される通常の状態に移行する（タイミングｔ３〜）。
【００５１】
一方、冷却水温ＴＨＷがサーモスタット２２の開弁温度ＴＺに達したものの、吸気温度ＧＴＡが閾値温度α以上である場合には、図３（ｃ）に破線で示されるように、制御装置９１はタイミングｔ２〜ｔ３の期間においてもタイミングｔ１〜ｔ２の期間と同様に電動ポンプ２３の駆動状態は低流量モードに維持される。
【００５２】
以上説明した本実施形態によれば、以下に記載の作用効果を奏することができる。
（１）冷却水温ＴＨＷが開弁温度ＴＺに達したときに、電動ポンプ２３の吐出圧ＦＶを低吐出圧ＦＶ１から高吐出圧ＦＶ２にまで増大させ、ラジエータ２１に冷却水が流入する際の流速を高めるようにしているため、ラジエータ２１の内部における冷却水の偏流の発生を緩和することができる。従って、ラジエータ２１が極低温環境下に置かれる場合であっても、偏流の発生に起因してラジエータ２１に熱歪みが発生することを抑制することができ、そうした熱歪みに起因してラジエータ２１の耐久性が低下することを抑制することができるようになる。
【００５３】
（２）冷却水温ＴＨＷが第１の所定温度ＴＸ１に達すると、電動ポンプ２３は間欠運転されるとともに、低流量モードに移行する。このため、機関燃焼室１０ａの近傍等における局所的な冷却水の沸騰を抑えつつ、高温となった冷却水が熱機器系１４に多量に流入することに伴う熱衝撃の発生や機関燃焼室１０ａの壁面温度が急激に低下することに伴う熱損失の増大を抑制することができる。
【００５４】
（３）吐出圧増大処理が開始されても電動ポンプ２３の所定期間における平均吐出量は変化しないため、同処理の前後において冷却水による冷却性能を一定に保持することができる。このため、局所的な冷却水の沸騰、熱衝撃の発生、機関燃焼室１０ａの壁面温度低下に伴う熱損失の増大をそれぞれ抑制する上で、冷却水の循環量を制御してその冷却性能を一定とすることが要求される場合でも、これに対応しつつ吐出圧増大処理を行うことができるようになる。
【００５５】
（４）吸気温度ＧＴＡが閾値温度α以上であるとき、すなわちラジエータ２１の内部に偏流が発生したとしてもそれに伴う熱歪みの悪影響が無視できる程度であるときには、吐出量増大処理が実行されないため、吐出量増大処理の実行に伴って電動ポンプ２３の吐出圧ＦＶ等、冷却水の供給態様が制約されることを回避でき、同冷却水の供給態様にかかる自由度を高めることができる。
【００５６】
（５）冷却水温ＴＨＷが第１の所定温度ＴＸ１に達するまでその循環を停止することにより、暖機を促進して機関燃焼を早期に安定させるとともに熱効率を向上させて燃費の低減を図ることができる。但し、ラジエータ２１は車両前方に搭載されるため、冷却水の循環が停止されている間は車両走行風によって冷却されるようになる。特に外気温の低い冷間時にはこうしたラジエータ２１の温度低下が極端に大きくなるため、その内部で冷却水の偏流が発生した場合に生じる熱歪みは大きなものとなり、これがラジエータ２１の耐久性低下に及ぼす影響も極めて深刻なものとなる。この点、本実施形態によれば、ラジエータ２１が極低温環境下におかれる場合であっても、偏流の発生を緩和してラジエータ２１に熱歪みが発生することを抑制することができ、そうした熱歪みに起因してラジエータ２１の耐久性が低下することを回避することができるようになる。
【００５７】
（第２実施形態）
この発明にかかる第２実施形態について図４（ａ）と図４（ｂ）を併せ参照して第１実施形態との相違点を中心に説明する。なお、第１実施形態と同様の構成については同一の符号を付すことにより詳細な説明を割愛する。
【００５８】
本実施形態にかかる冷却装置の電動ポンプ駆動処理では、制御装置９１は、冷却水温ＴＨＷが第１の所定温度ＴＸ１に達するまでは電動ポンプ２３の駆動を停止する。そして、冷却水温ＴＨＷが第１の所定温度ＴＸ１に達した後、開弁温度ＴＺに達するまでは、制御装置９１は低流量モードにて電動ポンプ２３を駆動する。そして、冷却水温ＴＨＷが開弁温度ＴＺに達したときに吸気温度ＧＴＡが閾値温度α未満である場合には、電動ポンプ２３は連続運転に変更されるとともにその吐出圧ＦＶを低吐出圧ＦＶ１よりも高圧に設定した高吐出圧ＦＶ２に設定される（高流量モード）。
【００５９】
図４に、本実施形態の電動ポンプ駆動処理が実行された場合について、（ａ）冷却水温ＴＨＷ、（ｂ）電動ポンプ２３の吐出圧ＦＶのそれぞれの推移について示す。
図４（ｂ）に示されるように、冷却水温ＴＨＷが第１の所定温度ＴＸ１に達するまでの電動ポンプ２３の駆動態様は第１実施形態と同様である（タイミングｔ０〜タイミングｔ１）。冷却水温ＴＨＷが上昇して開弁温度ＴＺに達したときに吸気温度ＧＴＡが閾値温度α未満である場合には、制御装置９１は図４（ｂ）に実線で示されるように電動ポンプ２３の吐出圧ＦＶを高吐出圧ＦＶ２に設定する吐出圧増大処理を実行する（タイミングｔ２）。そして、冷却水温ＴＨＷが第２の所定温度ＴＸ２に達すると、電動ポンプ２３は通常運転に移行する（タイミングｔ３）。
【００６０】
以上説明した本実施形態によれば、先の（１），（２），（４），（５）に記載した作用効果に加え、更に以下に記載の作用効果を奏することができる。
（６）冷却水温ＴＨＷが開弁温度ＴＺに達すると、電動ポンプ２３の吐出圧ＦＶは高吐出圧ＦＶ２に設定されるとともに、電動ポンプ２３の駆動態様として連続運転が選択される。このため、冷却水の循環量を十分に確保することができ、完全暖機後も含めたそのときどきの機関温度状態に即したかたちで機関冷却系を冷却することができるようになる。
【００６１】
なお、以上説明した実施形態は次のようにその形態を適宜変更した態様にて実施することができる。また、上記実施形態及び変形例は可能であればそれらを適宜組み合わせて実施することもできる。
【００６２】
・図４（ｂ）に２点鎖線で示されるように、第２実施形態で説明した吐出圧増大処理においては、電動ポンプ２３の吐出圧ＦＶを低吐出圧ＦＶ１よりも高く且つ高吐出圧ＦＶ２よりも低い値に設定してもよい。もしくは、高吐出圧ＦＶ２よりも高くなるように設定してもよい。すなわち、吐出圧増大処理においては、電動ポンプ２３の吐出圧ＦＶが低流量モードにおいて設定される低吐出圧ＦＶ１よりも高い値に設定されればよい。本実施形態においても上記作用効果に準じた効果を奏することができる。
【００６３】
・図４（ｂ）に１点鎖線で示されるように、吐出圧増大制御が開始されると、電動ポンプ２３の吐出圧ＦＶを徐々に高くするようにしてもよい。本実施形態によれば、吐出圧増大処理が開始されると、機関燃焼室１０ａの近傍で高温となった冷却水が熱機器系１４の各機器に多量に流入することに伴ってそれら機器に熱衝撃が発生することを抑制できる。
【００６４】
・図４（ｃ）に示されるように、冷却水温ＴＨＷが第１の所定温度ＴＸ１に達したことをもって電動ポンプ２３の吐出圧ＦＶを高吐出圧ＦＶ２に設定してもよい。この際、駆動期間ＴＰＡ、停止期間ＴＰＢはそれぞれ上述した各値ＴＰ３，ＴＰ４とすることが好ましい。この変形例によれば、電動ポンプ２３の吐出圧ＦＶが高吐出圧ＦＶ２となった後にサーモスタット２２が開弁してラジエータ２１に冷却水が流入するようになるため、ラジエータ２１に流入する冷却水の流速を高めることができる。このため、ラジエータ２１の内部において偏流が発生することをより好適に抑制することができるようになる。
【００６５】
・吐出圧増大処理を行う際の電動ポンプ２３の吐出圧ＦＶは予め定められた高吐出圧ＦＶ２になるようにしたが、図５（ａ）に示されるように吸気温度ＧＴＡが低いときほど電動ポンプ２３の吐出圧ＦＶが高くなるように、換言すれば吐出圧ＦＶの増大量ΔＦＶが大きくなるようにしてもよい。吸気温度ＧＴＡが低いときほど、すなわちラジエータ２１の周囲温度が低いときほど、偏流に起因するラジエータ２１の熱歪量が増大し、また冷却水の粘度も高くなるため偏流そのものも一層発生しやすくなる。この変形例によれば、ラジエータ２１の周囲温度が低く、熱歪みの発生が顕著になるときほど、間欠運転における電動ポンプ２３の吐出圧ＦＶを高くするようにしているため、偏流をラジエータ２１の周囲の温度状況に応じたかたちで好適に緩和することができるようになる。
【００６６】
・またこの変形例において、図５（ｂ）に示されるように吸気温度ＧＴＡが低いときほど、すなわち電動ポンプ２３の吐出圧ＦＶが高くなるほど、駆動期間ＴＰＡが短くなるように設定するとともに停止期間ＴＰＢが長くなるように設定することにより、吐出圧増大制御の実行前後における電動ポンプ２３の所定期間での平均吐出流量が等しくなるようにすることが望ましい。この変形例によれば、上記（３）に準じた作用効果を奏することができるようになる。更にこの変更例において、吐出圧ＦＶの増大量ΔＦＶを大きくした場合には、それに併せて停止期間ＴＰＢが更に長く設定され、機関高温部近傍等において冷却水の滞留する時間が長くなるため、局所的な冷却水の沸騰が発生する可能性が高くなる。しかしながら、そのような問題が生じないように、吸気温度ＧＴＡ、すなわちラジエータ２１の周囲温度に基づいて吐出圧ＦＶの増大量ΔＦＶを変更するようにすれば、ラジエータ２１の周囲温度が高いとき、すなわち偏流に起因する熱歪みの及ぼす影響が相対的に小さいときには、吐出圧ＦＶの増大量ΔＦＶは小さくなるため、停止期間ＴＰＢが不必要に長い期間に設定されることがない。すなわち、局所的な冷却水の沸騰が発生することを避けつつ、偏流に起因する熱歪みによって熱交換器の耐久性が低下してしまうことを抑制することができるようになる。
【００６７】
・吐出圧増大処理の開始前後で電動ポンプ２３の所定期間における冷却水の平均吐出量が等しくなるように駆動期間ＴＰＡ及び停止期間ＴＰＢを設定するようにしている。これに限らず、駆動期間ＴＰＡと停止期間ＴＰＢとを各別に設定するようにしてもよい。この変形例においても、上記（１）、（２）、（４）〜（６）に準じた作用効果を奏することができるようになる。
【００６８】
・図６に示されるように、内燃機関１０の暖機が完了したと判断した場合（ステップＳ１４０：ＹＥＳ）、制御装置９１は、吸気温度ＧＴＡについての判断を行うことなく（図２：ステップＳ１６０）、常に吐出圧ＦＶを上述した低吐出圧ＦＶ１よりも高圧に設定された高吐出圧ＦＶ２に設定するようにしてもよい（ステップＳ１８０）。すなわち、上記各実施形態ではラジエータ２１の周囲温度が低温にあることを吐出圧増大処理の実行条件としたが、吸気温度ＧＴＡにかかわらず同吐出圧増大処理を実行するようにしてもよい。この変形例においても、上記（１）〜（３）、（５）に準じた作用効果を奏することができるようになる。
【００６９】
・吐出圧増大処理を開始する冷却水温ＴＨＷは、サーモスタット２２の開弁温度ＴＺよりも低い温度であってもよい。この変形例によれば、電動ポンプ２３の吐出圧が増大した後にサーモスタット２２が開弁してラジエータ２１に冷却水が流入するようになるため、ラジエータ２１に冷却水が流入する際の流速を高めることができ、ラジエータ２１の内部における冷却水の偏流を緩和することができる。また、サーモスタット２２の感温部に接触する冷却水の量も多くなるため、サーモスタット２２を高い応答性をもって開弁させることができる。この結果、冷却水温ＴＨＷが開弁温度ＴＺとなってからサーモスタット２２が全開状態となるまでの期間、すなわちサーモスタット２２の開度が絞られている状態にある期間を短くすることができるため、ラジエータ２１における偏流の発生を一層好適に抑制することができるようになる。
【００７０】
・冷却水温ＴＨＷが第１の所定温度ＴＸ１以上に達すると電動ポンプ２３を低流量モードで駆動するようにしているが、冷却水温ＴＨＷが開弁温度ＴＺに達するまで電動ポンプ２３の駆動を停止するようにしてもよい。本実施形態によれば、電動ポンプ２３の駆動を停止する期間を極力長くすることができるため、内燃機関１０の暖機を促進して燃費を向上させることができるようになる。
【００７１】
・上記実施形態では、機関冷却装置として、ラジエータが車両前方に搭載される車載内燃機関の冷却装置を例示したが、本発明にかかる機関冷却装置はこれに限定されるものではない。すなわち、冷却装置の適用対象となる機関としては、上述したように内燃機関をその代表例として挙げることができるが、これに限らず、例えば電動機や発電機、更にはこれらを制御するインバータ等の制御機器等々、冷却水の温度が所定温度以上になるまでその冷却が不要であるため冷却水の循環が停止される機関一般が含まれる。また、熱交換器についても、車両前方に搭載されるラジエータ以外の放熱器、例えば熱機器系１４に含まれるヒータコアや、同じく熱機器系１４に含まれるＥＧＲクーラ等の吸熱器として具体化することもできる。
【符号の説明】
【００７２】
１０…内燃機関、１０ａ…機関燃焼室、１１…シリンダブロック、１２…シリンダヘッド、１３…ウォータジャケット、１４…熱機器系、２１…ラジエータ、２２…サーモスタット、２３…電動ポンプ、２４…メイン通路、２７…サブ通路、９１…制御装置（制御部）、９２…水温センサ（検出部）、９３…吸気温センサ。
【図１】
2011111159.tif 000003
【図２】
2011111159.tif 000004
【図３】
2011111159.tif 000005
【図４】
2011111159.tif 000006
【図５】
2011111159.tif 000007
【図６】
2011111159.tif 000008
【図７】
2011111159.tif 000009
【国際調査報告】
2011111159.tif 000010
2011111159.tif 000011